(57)【要約】【課題】医療器具の一部を構成する部品を取り換える作業を行なうに際し、ユーザーの利便性を向上させることのできる技術を提供する。【解決手段】医療器具収容装置は、医療器具の一部を構成する管を収容可能な収容部と、収容部に収容された管を収容部から取り出す方向に力が発生した場合に、当該力に抗する力を発生させる抗力発生機構とを備える。【選択図】図４
2015051179.tif 000002
【特許請求の範囲】
【請求項１】
医療器具収容装置であって、
医療器具の一部を構成する管を収容可能な収容部と、
前記収容部に収容された前記管を前記収容部から取り出す方向に力が発生した場合に、当該力に抗する力を発生させる抗力発生機構と
を備える、医療器具収容装置。
【請求項２】
請求項１に記載の医療器具収容装置であって、
前記抗力発生機構は、回転体を含み、
前記回転体の外周が前記収容部の内壁から露出するように配置されており、
前記回転体の、前記管を前記収容部から取り出す方向に沿った回転は、制限されている、
医療器具収容装置。
【請求項３】
請求項２に記載の医療器具収容装置であって、
前記回転体の数は、複数である、
医療器具収容装置。
【請求項４】
請求項１から請求項３のいずれか一項に記載の医療器具収容装置であって、さらに、
前記収容部の内壁のうち、前記抗力発生機構よりも前記収容部の入口に近い位置に、前記収容部の内壁から突出する突出部を備える、
医療器具収容装置。
【請求項５】
請求項４に記載の医療器具収容装置であって、
前記突出部は、前記管を前記収容部に収容する方向には変形しやすく、前記管を前記収容部から取り出す方向には変形しにくい弾性部材である、
医療器具収容装置。
【請求項６】
請求項１から請求項５のいずれか一項に記載の医療器具収容装置であって、
前記収容部の鉛直方向における下方には、容器が設けられている、
医療器具収容装置。
【請求項７】
請求項６に記載の医療器具収容装置であって、
前記収容部と前記容器との間には、前記容器に連通する孔が設けられている、
医療器具収容装置。
【請求項８】
医療器具収容装置であって、
医療器具の一部を構成する管と、
前記管を収容している収容部と
を備え、
前記収容部には、前記収容部の入口から遠ざかる方向に沿って開口部の面積が小さくなるガイド部が設けられている、
医療器具収容装置。
【請求項９】
請求項１から請求項８のいずれか一項に記載の医療器具収容装置であって、さらに、
前記医療器具収容装置の使用前には、前記収容部の入口を覆う膜を備える、
医療器具収容装置。
【請求項１０】
請求項１から請求項９のいずれか一項に記載の医療器具収容装置であって、
前記収容部は、前記医療器具収容装置の本体から取り外し可能である、
医療器具収容装置。
【請求項１１】
医療器具収容装置であって、
医療器具の一部を構成する管を収容可能な第１の収容部と、
前記第１の収容部に収容された前記管を前記収容部から取り出す方向に力が発生した場合に、当該力に抗する力を発生させる抗力発生機構と、
医療器具の一部を構成する交換用の管を収容している第２の収容部と
を備え、
前記第２の収容部には、前記収容部の入口から遠ざかる方向に沿って開口部の面積が小さくなるガイド部が設けられている、
医療器具収容装置。
【発明の詳細な説明】
【技術分野】
【０００１】
本発明は、医療器具収容装置に関する。
【背景技術】
【０００２】
従来、流体を噴射する医療器具に関する技術としては、例えば、特許文献１に開示されたものが知られている。特許文献１には、圧電素子を駆動させることによって流体に脈動を付与し、脈動が付与された液体を患部に噴射することによって、患部の切開や切除を行なう医療器具が記載されている。
【先行技術文献】
【特許文献】
【０００３】
【特許文献１】特開２００８−８２２０２号公報
【発明の概要】
【発明が解決しようとする課題】
【０００４】
特許文献１に記載された医療器具等において、血液等の生体組織が、医療器具の一部を構成する部品に付着し、当該部品を取り換える作業が生じる場合があった。このような場合において、生体組織等が付着した部品の交換を行なうに際し、ユーザーの利便性をさらに向上させたいといった要望があった。そのほか、従来の医療器具や、医療器具に関連する装置においては、その小型化や、低コスト化、省資源化、製造の容易化、使い勝手の向上等が望まれていた。
【課題を解決するための手段】
【０００５】
本発明は、上述の課題の少なくとも一部を解決するためになされたものであり、以下の形態として実現することが可能である。
【０００６】
（１）本発明の一形態によれば、医療器具収容装置が提供される。この医療器具収容装置は、医療器具の一部を構成する管を収容可能な収容部と；前記収容部に収容された前記管を前記収容部から取り出す方向に力が発生した場合に、当該力に抗する力を発生させる抗力発生機構とを備える。
この形態によれば、ユーザーが、医療器具に取り付けられた状態の管を収容部に収容した後に、収容部から管を取り出す方向に医療器具を移動させると、収容部の内部で管が医療器具から取り外される。したがって、管に付着した生体組織等が周囲に飛散することを抑制することができる。
【０００７】
（２）上記形態の医療器具収容装置において、前記機構は、回転体を含み；前記回転体の外周が、前記収容部の内壁から露出するように配置されており；前記回転体の、前記管を前記収容部から取り出す方向に沿った回転は、制限されていてもよい。
この形態によれば、回転体は、管を収容部に収容する方向には回転するので、管をスムーズに収容部に収容することができる。さらに、回転体は、管を収容部から取り出す方向には回転しないので、ユーザーが、収容部から管を取り出す方向に医療器具を移動させると、回転が制限された回転体と、管との間に摩擦力が発生する。したがって、医療器具から管を容易に取り外すことができる。
【０００８】
（３）上記形態の医療器具収容装置において、前記回転体の数は、複数であってもよい。
この形態によれば、管を収容部に収容する際に、複数の回転体がガイドの役割を果たす。また、収容部から管を取り出す方向に医療器具を移動させる際に、複数の回転体と管との間に摩擦力が発生するので、医療器具から管をさらに容易に取り外すことができる。
【０００９】
（４）上記形態の医療器具収容装置は、さらに、前記収容部の内壁のうち、前記抗力発生機構よりも前記収容部の入口に近い位置に、前記収容部の内壁から突出する突出部を備えてもよい。
医療器具から取り外し可能な管の内側には、管を支持する支持部が設けられている場合がある。この形態によれば、管が医療器具から取り外された後に、医療器具を収容部から遠ざける方向に移動させると、支持部に突出部が接触する。したがって、支持部に付着した生体組織等を突出部によって引き剥がすことができる。
【００１０】
（５）上記形態の医療器具収容装置において、前記突出部は、前記管を前記収容部に収容する方向には変形しやすく、前記管を前記収容部から取り出す方向には変形しにくい弾性部材であってもよい。
この形態によれば、支持部に付着した生体組織等を適切に引き剥がすことができる。
【００１１】
（６）上記形態の医療器具収容装置において、前記収容部の鉛直方向における下方には、容器が設けられていてもよい。
この形態によれば、管から離れた生体組織等を容器に溜めておくことができる。
【００１２】
（７）上記形態の医療器具収容装置において、前記収容部と前記容器との間には、前記容器に連通する孔が設けられていてもよい。
管に付着した生体組織等は、管から離れて収容部の鉛直下方に滞留することがある。この形態によれば、収容部の鉛直下方に滞留する生体組織等を、孔を介して容器に排出することができる。
【００１３】
（８）本発明の他の形態によれば、医療器具収容装置が提供される。この医療器具収容装置は、医療器具の一部を構成する管と；前記管を収容している収容部とを備え；前記収容部には、前記収容部の入口から遠ざかる方向に沿って開口部の面積が小さくなるガイド部が設けられている。
この形態によれば、ユーザーは、医療器具から管を取り外した後に、再び管を医療器具に取り付ける作業を、適切に行なうことができる。また、医療器具から取り外し可能な管の内側に、管を支持する支持部が設けられている場合においては、支持部に付着した生体組織等で手を汚さずに、再び管を医療器具に取り付けることができる。
【００１４】
（９）上記形態の医療器具収容装置は、さらに、前記医療器具収容装置の使用前には、前記収容部の入口を覆う膜を備えてもよい。
この形態によれば、ユーザーは、膜が破れているか否かによって、収容部に管が収容された後か否か、または、収容部に収容されている管が取り出された後か否かを判別することができる。また、収容部の内部への異物等の侵入を抑制することができるので、使用前の管に異物等が付着するのを抑制することができる。
【００１５】
（１０）上記形態の医療器具収容装置において、前記収容部は、前記医療器具収容装置の本体から取り外し可能であってもよい。
この形態によれば、医療器具収容装置の本体を再利用することができる。
【００１６】
（１１）本発明の他の形態によれば、医療器具収容装置が提供される。医療器具収容装置は、医療器具の一部を構成する管を収容可能な第１の収容部と；前記第１の収容部に収容された前記管を前記収容部から取り出す方向に力が発生した場合に、当該力に抗する力を発生させる抗力発生機構と；医療器具の一部を構成する交換用の管を収容している第２の収容部とを備え；前記第２の収容部には、前記収容部の入口から遠ざかる方向に沿って開口部の面積が小さくなるガイド部が設けられている。
この形態によれば、管を医療器具から取り外して第１の収容部に収容し、第２の収容部に収容されている新たな管を医療器具に取り付ける作業を、素早く行なうことができる。
【００１７】
上述した本発明の各形態の有する複数の構成要素はすべてが必須のものではなく、上述の課題の一部又は全部を解決するため、あるいは、本明細書に記載された効果の一部又は全部を達成するために、適宜、複数の構成要素の一部の構成要素について、その変更、削除、新たな他の構成要素との差し替え、限定内容の一部削除を行うことが可能である。また、上述の課題の一部又は全部を解決するため、あるいは、本明細書に記載された効果の一部又は全部を達成するために、上述した本発明の一形態に含まれる技術的特徴の一部又は全部を上述した本発明の他の形態に含まれる技術的特徴の一部又は全部と組み合わせて、本発明の独立した一形態とすることも可能である。
【００１８】
例えば、本発明の一形態は、収容部と、抗力発生機構との２つの要素の内の一つ以上の要素を備えた装置として実現可能である。すなわち、この装置は、収容部を有していてもよく、有していなくてもよい。また、装置は、抗力発生機構を有していてもよく、有していなくてもよい。収容部は、例えば、医療器具の一部を構成する管を収容可能な収容部として構成されてもよい。抗力発生機構は、例えば、前記収容部に収容された前記管を前記収容部から取り出す方向に力が発生した場合に、当該力に抗する力を発生させる抗力発生機構として構成されてもよい。
【００１９】
また、本発明の他の形態は、管と、収容部との２つの要素の内の一つ以上の要素を備えた装置として実現可能である。すなわち、この装置は、管を有していてもよく、有していなくてもよい。また、装置は、収容部を有していてもよく、有していなくてもよい。管は、例えば、医療器具の一部を構成する管として構成されてもよい。収容部は、例えば、前記管を収容している収容部として構成されてもよい。また、前記収容部には、前記収容部の入口から遠ざかる方向に沿って開口部の面積が小さくなるガイド部が設けられていてもよい。
【００２０】
こうした装置は、例えば医療器具収容装置として実現できるが、医療器具収容装置以外の他の装置としても実現可能である。このような形態によれば、装置の小型化や、低コスト化、省資源化、製造の容易化、使い勝手の向上等の種々の課題の少なくとも１つを解決することができる。前述した医療器具収容装置の各形態の技術的特徴の一部又は全部は、いずれもこの装置に適用することが可能である。
【００２１】
本発明は、装置以外の種々の形態で実現することも可能である。例えば、医療器具収容装置の製造方法や医療器具の収容方法、医療器具の取り外し方法、医療器具の取り付け方法等の形態で実現することができる。
【図面の簡単な説明】
【００２２】
【図１】医療器具の構成を説明する説明図である。
【図２】ハンドピースの内部構造を示す説明図である。
【図３】第１実施形態としての医療器具収容装置の外観を示す説明図である。
【図４】第１実施形態としての医療器具収容装置の断面の一部を模式的に示す説明図である。
【図５】第２実施形態としての医療器具収容装置の断面の一部を模式的に示す説明図である。
【図６】第３実施形態としての医療器具収容装置の断面を模式的に示す説明図である。
【発明を実施するための形態】
【００２３】
次に、本発明の実施の形態を実施形態に基づいて以下の順序で説明する。
Ａ．医療器具の構成：
Ｂ．医療器具収容装置の第１実施形態：
Ｃ．医療器具収容装置の第２実施形態：
Ｄ．医療器具収容装置の第３実施形態：
Ｅ．変形例：
【００２４】
Ａ．医療器具の構成：
本発明の実施形態としての医療器具収容装置の説明に先立って、医療器具収容装置に収容される吸引管を備える医療器具について説明する。
【００２５】
図１は、医療器具１０の構成を説明する説明図である。本実施形態の医療器具１０は、患部に対して液体を噴射することによって患部の切開または切除を行うメスとしての機能を有している。
【００２６】
医療器具１０は、ハンドピース２０と、液体供給部５０と、吸引装置６０と、制御部７０と、液体容器８０とを備えている。液体供給部５０と液体容器８０とは、接続チューブ５１によって接続されている。液体供給部５０とハンドピース２０とは、液体供給流路５２によって接続されている。本実施形態においては、接続チューブ５１及び液体供給流路５２は、樹脂によって形成されている。
【００２７】
液体容器８０は、液体として生理食塩水を収容している。液体供給部５０は、接続チューブ５１を介して液体容器８０から吸引した液体を、液体供給流路５２を介してハンドピース２０に供給する。なお、本実施形態においては、液体として生理食塩水を採用したが、それに限らず、無菌水や、超純水など、種々の液体を採用することができる。
【００２８】
ハンドピース２０は、医療器具１０のユーザーが把持して操作する器具である。ハンドピース２０は、脈動発生部３０と、噴射管５５と、噴射口５８とを備える。液体供給部５０から液体供給流路５２を介してハンドピース２０に供給された液体は、脈動発生部３０によって所定の周波数の脈動が付与され、噴射管５５に供給される。噴射管５５に供給された液体は、噴射口５８からパルス状の液体として噴射される。ユーザーは、噴射口５８から噴射されるパルス状の液体を患者の患部に当てることによって、患部の切開または切除を行う。本実実施形態においては、噴射管５５は、ステンレスによって形成されている。ただし、噴射管５５は、真鍮等の他の金属や強化プラスチックなど、所定以上の剛性を有する材料によって形成されていてもよい。
【００２９】
制御部７０は、信号ケーブル７２を介して脈動発生部３０に駆動信号を送信するとともに、制御ケーブル７１を介して液体供給部５０を制御することによって、脈動発生部３０に供給される液体の流量の制御を行う。制御部７０には、ユーザーが足元で操作するフットスイッチ７５が接続されている。ユーザーがフットスイッチ７５をオンにすると、制御部７０は、液体供給部５０を制御して、脈動発生部３０に液体の供給を行わせるとともに、脈動発生部３０に駆動信号を送信して、脈動発生部３０に供給された液体に脈動を付与し、噴射口５８からパルス状の液体を噴射する。なお、液体をパルス状に噴射するとは、噴射される液体の流量または流速が変動を伴った状態で液体が噴射されることを意味する。この液体をパルス状に噴射する態様には、液体の噴射と停止とを繰り返しながら噴射する間欠噴射が含まれるが、液体の流量または流速が変動していればよいため、必ずしも間欠噴射である必要はない。
【００３０】
吸引装置６０は、噴射口５８周辺の液体や切除物を吸引する装置である。吸引装置６０とハンドピース２０とは、吸引流路６２によって接続されている。吸引流路６２は、ハンドピース２０内を通っており、吸引流路６２の先端６２ａには、吸引管６３が接続されている。吸引管６３は、噴射管５５の先端近傍まで延出されている。噴射管５５は吸引管６３の内側を挿通している。図１のＡ方向矢視図に示すように、噴射管５５の外壁と吸引管６３の内壁との間には、吸引管６３の先端である吸引口６４から吸引された液体（切除された生体組織等）が流通する流路（以下、隙間流路とも呼ぶ）が形成されている。吸引口６４から隙間流路に流入した液体は、吸引流路６２を介して吸引装置６０に吸引される。本実施形態では、吸引管６３は、吸引流路６２の先端６２ａから脱着可能である。
【００３１】
図２は、ハンドピース２０の内部構造を示す説明図である。上述のように、ハンドピース２０の内部には、脈動発生部３０が収容されている。図の下部に示したように、脈動発生部３０は、第１ケース３１、第２ケース３２、第３ケース３３、ボルト３４、圧電素子３５、補強板３６、ダイアフラム３７、パッキン３８、入口流路４０、出口流路４１を備える。第１ケース３１と第２ケース３２とは対向して接合されている。第１ケース３１は筒状部材である。第１ケース３１の一方の端部は、第３ケース３３をボルト３４で固定することによって密閉されている。第１ケース３１の内部に形成される空間には圧電素子３５が配設されている。
【００３２】
信号ケーブル７２は、ハンドピース２０の後端部２２から挿入されている。信号ケーブル７２に内挿されているプラスとマイナスとからなる２本の電極線７４は、脈動発生部３０内の圧電素子３５に接続されている。制御部７０から送信された駆動信号は、信号ケーブル７２内の電極線７４を介して圧電素子３５に送信される。圧電素子３５は、駆動信号に基づいて伸縮する。
【００３３】
圧電素子３５は、積層型圧電素子である。圧電素子３５の一方の端部は、補強板３６を介してダイアフラム３７に固着している。圧電素子３５の他方の端部は、第３ケース３３に固着している。ダイアフラム３７は金属薄膜からなり、周縁部が第１ケース３１に固着している。ダイアフラム３７と第２ケース３２との間には液体室３９が形成される。液体室３９は、圧電素子３５の駆動によって容積が変更する。
【００３４】
第２ケース３２には、液体が流入する入口流路４０と、液体が流出する出口流路４１とが形成されている。入口流路４０は、第２ケース３２の端面の中心から偏った位置から延出し、図示上方向にＵ字状に曲げられ、ハンドピース２０の後端部２２に向かって延伸する。このように入口流路４０を曲げることで、入口流路４０のＵ字部分の曲率を小さくすることができる。また、後端部２２に向かって延伸する入口流路４０と脈動発生部３０とを合わせた幅を小さくすることができ、結果として、脈動発生部３０および入口流路４０を収容するハンドピース２０を細くすることができる。さらに、入口流路４０を脈動発生部３０の先端部２４側から延伸させることで、ハンドピース２０の重心を先端部２４側に位置させることができる。
【００３５】
入口流路４０には、液体供給流路５２が接続されている。出口流路４１には、接続チューブ５４を介して噴射管５５が接続されている。液体供給部５０から供給された液体は、液体供給流路５２を介して液体室３９に供給される。圧電素子３５が所定の周波数で振動すると、ダイアフラム３７を介して液体室３９の容積が変化し、収容されている液体が加圧される。加圧された液体は、出口流路４１、接続チューブ５４、噴射管５５を通って噴射口５８から吐出される。
【００３６】
吸引流路６２は、ハンドピース２０の後端部２２から先端部２４へ亘って連通している。ハンドピース２０の内部において、吸引流路６２は、接続チューブ５４、噴射管５５を内挿する。吸引流路６２は、噴射管５５とともにハンドピース２０の先端部２４から引き出されており、吸引流路６２の先端６２ａには、吸引管６３が接続されている。吸引管６３の吸引口６４から液体等を吸引する吸引する吸引力は、吸引装置６０で調整可能であるとともに、ユーザーが、ハンドピース２０に設けられている吸引力調整機構６５を操作することによって調整可能である。
【００３７】
吸引力調整機構６５は、操作部６６と、孔部６７とから構成されている。孔部６７は、吸引流路６２と操作部６６とを連通する。ユーザーは、ハンドピース２０を把持した際に、孔部６７を指で開閉する。ユーザーの指による孔部６７の開閉量によって、外部から孔部６７を介して吸引流路６２内に流入する空気の流入量を調整することができ、結果として、吸引流路６２の吸引力を調整することができる。吸引力調整機構６５は、重力に対して上方向に向けた場合には、吸引物が孔部６７から外部に侵出することがないので、その機能を好適に発揮する。従って、吸引力調整機構６５は、ハンドピース２０の把持する上下方向をユーザーに示唆する機能を有する。
【００３８】
Ｂ．医療器具収容装置の第１実施形態：
図３は、本発明の第１実施形態としての医療器具収容装置１００の外観を示す説明図である。医療器具１０を使用していると、吸引管６３の内周と噴射管５５の外周との間の隙間流路に生体組織等が付着し、吸引力が低下する場合がある。この場合には、吸引管６３を医療器具１０から取り外し、生体組織等が付着していない吸引管６３を新たに取り付けることが好ましい。医療器具収容装置１００は、生体組織等が付着した使用済みの吸引管６３を医療器具１０から取り外すとともに、取り外された使用済みの吸引管６３を内部に収容する装置である。
【００３９】
図４は、医療器具収容装置１００の断面の一部を模式的に示す説明図である。この図４では、使用済みの吸引管６３が、医療器具収容装置１００によって医療器具１０から取り外され、吸引管６３が医療器具収容装置１００の内部に収容された状態が示されている。
【００４０】
医療器具収容装置１００は、収容部１０２と、回転体１０４とを備えている。収容部１０２は、医療器具１０の一部を構成する吸引管６３を収容可能な縦長の空間を構成している。回転体１０４の外周は、収容部１０２の内壁に配置されている。回転体１０４の、吸引管６３を収容部１０２に収容する方向に沿った回転は、許容されている。一方、回転体１０４の、吸引管６３を収容部１０２から取り出す方向に沿った回転は、制限されている。すなわち、回転体１０４は、収容部１０２に収容された吸引管６３を収容部１０２から取り出す方向に力が発生した場合に、当該力に抗する力を発生させる抗力発生機構として機能する。
【００４１】
本実施形態によれば、ユーザーが、医療器具１０に取り付けられた状態の吸引管６３を収容部１０２に挿入して収容した後に、収容部１０２から吸引管６３を取り出す方向に医療器具１０を移動させると、収容部１０２の内部で吸引管６３が医療器具１０から取り外される。したがって、吸引管６３を医療器具１０から取り外す際に、吸引管６３に付着した生体組織等が周囲に飛散することを抑制することができる。
【００４２】
特に、本実施形態によれば、回転体１０４は、吸引管６３を収容部１０２に収容する方向には回転するので、吸引管６３をスムーズに収容部１０２に収容することができる。さらに、回転体１０４は、吸引管６３を収容部１０２から取り出す方向には回転しない。このため、ユーザーが、収容部１０２から吸引管６３を取り出す方向に医療器具１０を移動させると、回転が制限された回転体１０４と、吸引管６３との間に摩擦力が発生する。したがって、医療器具１０から吸引管６３を容易に取り外すことができる。
【００４３】
さらに、本実施形態では、回転体１０４は、複数設けられている。したがって、吸引管６３を収容部１０２に収容する際に、複数の回転体１０４がガイドの役割を果たす。また、収容部１０２から吸引管６３を取り出す方向に医療器具１０を移動させる際に、複数の回転体１０４と吸引管６３との間に摩擦力が発生するので、医療器具１０から吸引管６３をさらに容易に取り外すことができる。ただし、回転体１０４は、１つのみが設けられていてもよい。
【００４４】
さらに、本実施形態では、収容部１０２の内壁のうち、回転体１０４よりも収容部１０２の入口に近い位置に、収容部１０２の内壁の全周から突出する突出部１０６が設けられている。上述したように、吸引管６３の内側には、吸引管６３を支持する支持部として、噴射管５５が設けられている。このため、本実施形態では、吸引管６３が医療器具１０から取り外された後に、医療器具１０を収容部１０２から遠ざける方向に移動させると、噴射管５５の外周に突出部１０６が接触する。したがって、噴射管５５の外周に付着した生体組織等を突出部１０６によって引き剥がすことができる。ただし、突出部１０６は、省略してもよい。また、突出部１０６は、収容部１０２の内壁の一部のみから突出する部材であってもよい。
【００４５】
なお、突出部１０６は、吸引管６３を収容部１０２に収容する方向には変形しやすく、噴射管５５を収容部１０２から取り出す方向には変形しにくい弾性部材によって形成されていることが好ましい。このようにすれば、吸引管６３を収容部１０２に収容した後、噴射管５５を取り出す際に、噴射管５５の外周に付着した生体組織等を適切に引き剥がすことができる。本実施形態では、突出部１０６は、吸引管６３を収容部１０２に収容する方向に傾いた形状を有するゴムによって形成されている。
【００４６】
さらに、本実施形態では、収容部１０２の鉛直下方には、孔１０８が設けられており、孔１０８の鉛直下方には、容器１１０が設けられている。吸引管６３に付着した生体組織等は、吸引管６３から離れて収容部１０２の鉛直下方に滞留することがある。本実施形態によれば、収容部１０２の鉛直下方に滞留する生体組織等を、孔１０８を介して容器１１０に排出することができるので、吸引管６３から離れた生体組織等を容器１１０に溜めておくことができる。ただし、孔１０８及び容器１１０は、省略してもよい。また、容器１１０の内部、または、容器１１０の代わりに、生体組織等の液体を吸収することのできる高分子吸収体を設けてもよい。
【００４７】
さらに、本実施形態では、収容部１０２は、医療器具収容装置１００の本体１２０とは別部材によって構成されており、医療器具収容装置１００の本体１２０から取り外し可能である。したがって、本実施形態によれば、医療器具収容装置１００の本体１２０を再利用することができる。ただし、収容部１０２と医療器具収容装置１００の本体１２０とは、一体に形成されていてもよい。
【００４８】
さらに、本実施形態では、収容部１０２の入口の開口部は大きく広がっており、収容部１０２の入口から遠ざかる方向に沿って開口部の面積が小さくなるガイド部１０９が設けられている。したがって、ユーザーは、ガイド部１０９に沿って、吸引管６３を容易に収容部１０２に収容することができる。
【００４９】
このように、第１実施形態では、収容部１０２に収容された吸引管６３を収容部１０２から取り出す方向に力が発生した場合に、当該力に抗する力を発生させる抗力発生機構が設けられているので、吸引管６３は、収容部１０２の内部で医療器具１０から取り外される。したがって、吸引管６３に付着した生体組織等が周囲に飛散することを抑制することができる。
【００５０】
Ｃ．医療器具収容装置の第２実施形態：
図５は、第２実施形態としての医療器具収容装置１００ｂの断面の一部を模式的に示す説明図である。医療器具収容装置１００ｂは、生体組織等が付着した使用済みの吸引管６３が取り外された状態の医療器具１０に対して、生体組織等が付着していない吸引管６３を新たに取り付けるための装置である。
【００５１】
医療器具収容装置１００ｂは、縦長の空間を構成する収容部１２２を備えている。収容部１２２には、生体組織等が付着していない未使用の吸引管６３が収容されている。
【００５２】
本実施形態では、収容部１２２には、収容部１２２の入口から遠ざかる方向に沿って開口部の面積が小さくなるガイド部１２４が設けられている。ユーザーは、吸引管６３が取り外された状態の医療器具１０の噴射管５５の先端を、ガイド部１２４に沿って、収容部１２２の内部に挿入する。そうすると、収容部１２２に収容されている未使用の吸引管６３が、医療器具１０に新たに取り付けられる。
【００５３】
したがって、本実施形態によれば、ユーザーは、噴射管５５に付着した生体組織等で手を汚さずに、吸引管６３を医療器具１０に新たに取り付ける作業を行なうことができる。
【００５４】
さらに、本実施形態では、医療器具収容装置１００ｂは、収容部１２２の入口を覆う膜１２６を備えている。本実施形態では、膜１２６は、ポリエチレンによって形成されている。
【００５５】
ユーザーは、医療器具１０に未使用の吸引管６３を取り付ける際に、例えば、噴射管５５の先端を膜１２６に押し付けて、膜１２６を破る。膜１２６を破った後、ユーザーは、医療器具１０の噴射管５５を収容部１２２にそのまま挿入して、収容部１２２の内部に収容されている未使用の吸引管６３を医療器具１０に取り付ける。なお、ユーザーは、膜１２６を、噴射管５５の先端ではなく、カッター等の刃物を用いて破ってもよい。
【００５６】
したがって、本実施形態によれば、ユーザーは、膜１２６が破れているか否かによって、収容部１０２に収容されている吸引管６３が取り出された後か否かを判別することができる。また、収容部１０２の内部への異物等の侵入を抑制することができるので、使用前の吸引管６３に異物等が付着するのを抑制することができる。
【００５７】
さらに、本実施形態では、収容部１２２は、医療器具収容装置１００ｂの本体１２０ｂとは別部材によって構成されており、医療器具収容装置１００の本体から取り外し可能である。したがって、本実施形態によれば、医療器具収容装置１００ｂの本体１２０ｂを再利用することができる。ただし、収容部１２２と医療器具収容装置１００ｂの本体１２０ｂとは、一体に形成されていてもよい。
【００５８】
Ｄ．医療器具収容装置の第３実施形態：
図６は、第３実施形態としての医療器具収容装置１００ｃの断面を模式的に示す説明図である。本実施形態の医療器具収容装置１００ｃは、上記第１実施形態の医療器具収容装置１００と、上記第２実施形態の医療器具収容装置１００ｂとが同一の筐体に収められた構造を有している。例えば、医療器具収容装置１００ｃは、生体組織等が付着した使用済みの吸引管６３を収容するための収容部１０２（第１実施形態）と、生体組織等が付着していない未使用の吸引管６３を収容している収容部１２２（第２実施形態）とを備えている。医療器具収容装置１００ｃのその他の構成についても、上記第１実施形態及び上記第２実施形態と同様である。
【００５９】
したがって、本実施形態によれば、使用済みの吸引管６３を医療器具１０から取り外し、未使用の吸引管６３を医療器具１０に取り付ける作業を、素早く行なうことができる。
【００６０】
Ｅ．変形例：
なお、この発明は上記の実施形態や実施形態に限られるものではなく、その要旨を逸脱しない範囲において種々の態様において実施することが可能であり、例えば次のような変形も可能である。
【００６１】
・変形例１：
上記第１実施形態において、上記第２実施形態と同様に、収容部１０２の入口を覆う膜が形成されていてもよい。このようにすれば、ユーザーは、膜が破れているか否かによって、使用済みの吸引管６３が収容部１０２に収容された後か否かを判別することができる。上記第３実施形態における収容部１０２においても同様に、収容部１０２の入口を覆う膜が形成されていてもよい。
【００６２】
・変形例２：
上記第１及び第３実施形態において、回転体１０４の代わりに、他の抗力発生機構を設けてもよい。例えば、抗力発生機構として、収容部１０２の入口から離れた部位に、吸引管６３の外径よりも徐々に狭くなる狭小部を設けてもよい。
【００６３】
・変形例３：
上記第１実施形態において、収容部１０２は、医療器具収容装置１００に対して１つのみが設けられていてもよい。同様に、上記第２実施形態において、収容部１２２は、医療器具収容装置１００ｂに対して１つのみが設けられていてもよい。
【００６４】
・変形例４：
上記各実施形態では、医療器具収容装置によって吸引管６３の脱着が行なわれているが、吸引管６３を備えない医療器具１０において、吸引管６３の代わりに、噴射管５５の脱着が医療器具収容装置によって行なわれてもよい。
【００６５】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００６６】
１０…医療器具
２０…ハンドピース
２２…後端部
２４…先端部
３０…脈動発生部
３１…第１ケース
３２…第２ケース
３３…第３ケース
３４…ボルト
３５…圧電素子
３６…補強板
３７…ダイアフラム
３８…パッキン
３９…液体室
４０…入口流路
４１…出口流路
５０…液体供給部
５１…接続チューブ
５２…液体供給流路
５４…接続チューブ
５５…噴射管
５８…噴射口
６０…吸引装置
６２…吸引流路
６２ａ…先端
６３…吸引管
６４…吸引口
６５…吸引力調整機構
６６…操作部
６７…孔部
７０…制御部
７１…制御ケーブル
７２…信号ケーブル
７４…電極線
７５…フットスイッチ
８０…液体容器
１００…医療器具収容装置
１００ｂ…医療器具収容装置
１００ｃ…医療器具収容装置
１０２…収容部
１０４…回転体
１０６…突出部
１０８…孔
１０９…ガイド部
１１０…容器
１２０…本体
１２０ｂ…本体
１２２…収容部
１２４…ガイド部
１２６…膜
【図１】
2015051179.tif 000003
【図２】
2015051179.tif 000004
【図３】
2015051179.tif 000005
【図４】
2015051179.tif 000006
【図５】
2015051179.tif 000007
【図６】
2015051179.tif 000008